(57)【要約】  【課題】  音色及び音高に応じた前後左右の音像定位の演出を適切に行い得る電子楽器を提供すること。  【解決手段】  本発明の電子楽器によれば、鍵盤を操作（押鍵又は離鍵）することにより演奏を行うと、音色パラメータテーブルにおいて音色毎に指定されている左右定位制御関数及び前後定位制御関数に従って、操作された鍵に対応する音高に応じた前後左右の音像定位が自動的に設定される。よって、より自然な拡がり感及び臨場感のある演奏を行うことができる。  【選択図】    図２
2005099559.tif 000002
【特許請求の範囲】
【請求項１】
楽音の音高を指定する音高情報を入力する音高情報入力手段と、
その音高情報入力手段に入力された音高情報により指定された音高の楽音を発生する楽音信号発生手段と、
その楽音信号発生手段により発生された楽音の音像位置を前記音高情報に応じた左右及び前後の位置に設定する定位情報設定手段とを備えていることを特徴とする電子楽器。
【請求項２】
音高指定情報に応じて左右の音像定位に関する左右音像定位情報と、音高指定情報に応じて前後の音像定位に関する前後音像定位情報とを記憶する記憶手段を備え、
前記定位情報設定手段は、前記音像位置を、前記記憶手段に記憶される左右音像定位情報及び前後音像定位情報に応じて左右及び前後の位置に設定するものであることを特徴とする請求項１記載の電子楽器。
【請求項３】
楽音の音色を指定する音色情報を入力する音色情報入力手段と、
前記音色情報入力手段により入力された音色情報に従って、前記記憶手段に記憶されている複数の左右音像定位情報のうちのいずれかを選択する選択手段とを備えていることを特徴とする請求項２記載の電子楽器。
【請求項４】
前記選択手段は、前記記憶手段に記憶されている複数の左右音像定位情報のうちのいずれかと共に、前記記憶手段に記憶されている複数の前後音像定位情報のうちのいずれかを更に選択するものであることを特徴とする請求項３記載の電子楽器。
【請求項５】
前記選択手段により選択された左右音像定位情報及び前後音像定位情報に基づいて、前記音高入力手段により入力される音高情報に応じた左右及び前後のレベルを制御するレベル制御手段を備え、
前記定位情報設定手段は、前記レベル制御手段により制御された左右及び前後のレベルに基づいて、前記音像位置を左右及び前後の位置に設定するものであることを特徴とする請求項４記載の電子楽器。
【発明の詳細な説明】
【技術分野】
【０００１】
本発明は電子楽器に関し、特に、音色及び音高に応じた前後左右の音像定位の演出を適切に行い得る電子楽器に関する。
【背景技術】
【０００２】
特登２６３０６９９号公報（特許文献１）には、指定された音色に対応して切り換えられる音像定位特性の関数に基づいて、鍵盤により指定される音高に応じて、楽音の左右の音像定位を変化させることのできる電子楽器が記載されている。
【特許文献１】特登２６３０６９９号公報
【発明の開示】
【発明が解決しようとする課題】
【０００３】
しかしながら、特許文献１に記載されている電子楽器では、音高に応じた左右の音像定位特性を制御できるものの、音高に応じた前後の音像定位特性を制御することはできず、演奏中に得られる音響効果（楽音の拡がり感や臨場感）に限界があるという問題点があった。
【０００４】
本発明は、上述した問題点を解決するためになされたものであり、音色及び音高に応じた前後左右の音像定位の演出を適切に行い得る電子楽器を提供することを目的としている。
【課題を解決するための手段】
【０００５】
この目的を達成するために、請求項１記載の電子楽器は、楽音の音高を指定する音高情報を入力する音高情報入力手段と、その音高情報入力手段に入力された音高情報により指定された音高の楽音を発生する楽音信号発生手段と、その楽音信号発生手段により発生された楽音の音像位置を前記音高情報に応じた左右及び前後の位置に設定する定位情報設定手段とを備えている。
【０００６】
この請求項１記載の電子楽器によれば、音高情報入力手段に音高情報が入力されると、その音高情報によって指定された音高の楽音が、楽音信号発生手段により発生される。そして、そのように発生された楽音の音像位置は、定位情報設定手段により、該音高入力手段に入力された音高情報に応じた左右及び前後の位置に設定される。
【０００７】
請求項２記載の電子楽器は、請求項１記載の電子楽器において、音高指定情報に応じて左右の音像定位に関する左右音像定位情報と、音高指定情報に応じて前後の音像定位に関する前後音像定位情報とを記憶する記憶手段を備え、前記定位情報設定手段は、前記音像位置を、前記記憶手段に記憶される左右音像定位情報及び前後音像定位情報に応じて左右及び前後の位置に設定するものである。
【０００８】
この請求項２記載の電子楽器によれば、請求項１記載の電子楽器と同様に作用する上、音高指定情報に応じて左右の音像定位に関する左右音像定位情報と、音高指定情報に応じて前後の音像定位に関する前後音像定位情報とが記憶手段に記憶されており、楽音信号発生手段により発生された楽音の音像位置は、定位情報設定手段により、左右音像定位情報及び前後音像定位情報に応じて左右及び前後の位置に設定される。
【０００９】
請求項３記載の電子楽器は、請求項２記載の電子楽器において、楽音の音色を指定する音色情報を入力する音色情報入力手段と、前記音色情報入力手段により入力された音色情報に従って、前記記憶手段に記憶されている複数の左右音像定位情報のうちのいずれかを選択する選択手段とを備えている。
【００１０】
この請求項３記載の電子楽器によれば、請求項２記載の電子楽器と同様に作用する上、音色情報入力手段により、楽音の音色を指定する音色情報が入力されると、その入力された音色情報に従って、選択手段により、記憶手段に記憶されている複数の左右音像定位情報のうちのいずれかが選択される。
【００１１】
請求項４記載の電子楽器は、請求項３記載の電子楽器において、前記選択手段は、前記記憶手段に記憶されている複数の左右音像定位情報のうちのいずれかと共に、前記記憶手段に記憶されている複数の前後音像定位情報のうちのいずれかを更に選択するものである。
【００１２】
請求項４記載の電子楽器によれば、請求項３記載の電子楽器と同様に作用する上、音色情報入力手段により、楽音の音色を指定する音色情報が入力されると、その入力された音色情報に従って、選択手段により、記憶手段に記憶されている複数の左右音像定位情報のうちのいずれかが選択されると共に、該記憶手段に記憶されている複数の前後音像定位情報のうちのいずれかが選択される。
【００１３】
請求項５記載の電子楽器は、請求項４記載の電子楽器において、前記選択手段により選択された左右音像定位情報及び前後音像定位情報に基づいて、前記音高入力手段により入力される音高情報に応じた左右及び前後のレベルを制御するレベル制御手段を備え、前記定位情報設定手段は、前記レベル制御手段により制御された左右及び前後のレベルに基づいて、前記音像位置を左右及び前後の位置に設定するものである。
【００１４】
請求項５記載の電子楽器によれば、請求項４の電子楽器と同様に作用する上、レベル制御手段により、音高入力手段により入力される音高情報に応じた左右及び前後のレベルが、選択手段により選択された左右音像定位情報及び前後音像定位情報を参照することにより制御される。左右及び前後のレベルがレベル制御手段により制御されると、音像位置が、定位情報設定手段により、そのように制御された左右及び前後のレベルに基づいて、左右及び前後の位置に設定される。
【発明の効果】
【００１５】
本発明の電子楽器によれば、音高情報を入力すれば、その音高に応じた前後左右の音像定位が設定され、より自然な拡がり感や臨場感のある演奏を提供することができるという効果がある。よって、例えば、本発明の電子楽器がエレクトリックピアノのような鍵盤楽器であれば、ユーザが楽譜に従って鍵盤を押鍵又は離鍵するだけで、臨場感のある演奏をすることができる。
【発明を実施するための最良の形態】
【００１６】
以下、本発明の好ましい実施例について、添付図面を参照して説明する。図１は、上記のように構成される電子楽器１の構成を示すブロック図である。電子楽器１は、ＣＰＵ１０と、ＲＯＭ２０と、ＲＡＭ３０と、演奏データや設定データなどを不揮発的に記憶するフラッシュＲＯＭ（ＦｌａｓｈＲＯＭ）４０と、音源５０と、鍵盤６０と、この電子楽器１を動作させるために操作される操作子７０と、電子楽器１の動作に関する各種情報を視覚的に表示するためにＬＣＤやＬＥＤなどで構成される表示器８０と、これらの構成間を接続するバスライン９０とを主に搭載している。
【００１７】
ＣＰＵ１０は、電子楽器１全体を制御する中央演算処理装置であり、ＲＯＭ２０は、このＣＰＵ１０により実行される各種の制御プログラムや、その実行の際に参照される固定値データが格納されている。なお、後述する図４及び図８に示すフローチャートを実行するプログラムや、パネル処理（図４）を実行する際に参照される音色パラメータテーブル（図５）は、このＲＯＭ２０に記憶されている。ＲＡＭ３０は、ＣＰＵ１０で実行される制御プログラムに必要な各種レジスタ群などが設定されたワーキングエリアや、処理中のデータを一時的に格納するテンポラリエリア等を有しランダムにアクセスできる書き換え可能なメモリである。
【００１８】
音源５０は、バスライン９０を経由して送られてくる演奏データ（例えば、鍵盤６０の操作に基づく音高情報、操作子７０の操作に基づく制御情報、ＲＯＭ２０やＲＡＭ３０に記憶される演奏情報、又は、非図示のＭＩＤＩ−ＩＮ端子から外部入力されたＭＩＤＩ（Musical Instrument Digital Interface）データなど）に応じたデジタルの楽音信号を生成し、外部へ放音するために電子楽器１に内蔵されるスピーカ５６へ出力するものである。
【００１９】
鍵盤６０は、複数の鍵から構成され、楽音の発音又は消音を指示するものであり、電子楽器１の本体に内蔵されている。鍵盤６０の鍵が操作（押鍵又は離鍵）されると、その鍵に対応する（その鍵により指定された）音高情報と押鍵又は離鍵情報とが、非図示の入力部を介してバスライン９０へ入力される。
【００２０】
図２は、上記のように構成された電子楽器１が実行する本発明の要部を概念的に示すブロック図である。
【００２１】
操作子７０の一部である音色選択スイッチ（音色指定手段）７１は、ユーザにより操作が行われると、操作された音色選択スイッチ７１（音色選択スイッチ７１ａ〜ｄのうちのいずれか）に従う音色情報を、楽音信号発生手段５１へ出力すると共に、音色パラメータ選択手段１１へ出力する。
【００２２】
一方、鍵盤（音高指定手段）６０は、ユーザにより操作（押鍵操作又は離鍵操作）が行われると、その操作に基づく押鍵又は離鍵情報とその操作が行われた鍵に対応する音高情報とを、楽音信号発生手段５１へ出力すると共に、左右レベル制御信号発生手段１２及び前後レベル制御信号発生手段１３に出力する。
【００２３】
音色パラメータ選択手段１１は、音色選択スイッチ７０から入力された音色情報に従う音色パラメータを選択し、選択された音色パラメータを参照して、その音色パラメータにおける定位制御情報を、左右レベル制御信号発生手段１２及び前後レベル制御信号発生手段１３に出力する。
【００２４】
左右レベル制御信号発生手段１２は、音色パラメータ選択手段１１から入力された定位制御情報と鍵盤６０から入力された音高情報とに従って、音高に応じた左右レベル制御信号を左右レベル制御手段５２へ出力する。
【００２５】
前後レベル制御信号発生手段１３は、音色パラメータ選択手段１１から入力された定位制御情報と鍵盤６０から入力された音高情報とに従って、音高に応じた前後レベル制御信号を前後レベル制御手段５３へ出力する。
【００２６】
一方、楽音信号発生手段５１は、音色選択スイッチ７１から入力された音色情報と鍵盤６０から入力された音高情報とに従うデジタル楽音信号を、鍵盤６０から入力された押鍵又は離鍵情報に基づいて生成し、そのデジタル楽音信号を左右レベル制御手段５２へ出力する。
【００２７】
左右レベル制御手段５２は、左右レベル制御信号発生手段１２から入力された音高に応じた左右レベル制御信号に従い、楽音信号発生手段５１から入力されたデジタル楽音信号を処理（左右パンニング処理）し、前後レベル制御手段５３へ出力する。
【００２８】
前後レベル制御手段５３は、前後レベル制御信号発生手段１３から入力された音高に応じた前後レベル制御信号に従い、左右レベル制御手段５２より入力されたデジタル楽音信号を処理（前後パンニング処理）し、発音手段５４へ出力する。
【００２９】
発音手段５４は、前後レベル制御手段５３より入力されたデジタル楽音信号を、アナログ信号（楽音）に変換し、変換された楽音を、楽音の右レベルを発音するスピーカ５６ａ、楽音の左レベルを発音する５６ｂ、楽音の前レベルを発音する５６ｃ、楽音の後レベルを発音する５６ｄに、左右レベル制御手段５２及び前後レベル制御手段５３により処理された前後左右のレベルでそれぞれ出力する。
【００３０】
スピーカ５６（５６ａ〜５６ｄ）は、発音手段５４からそれぞれ入力された楽音を外部へ出力する。
【００３１】
図３は、操作パネルにおける音色選択スイッチ７１の配設部分を示す図である。図３に示されるように、操作パネルには、音色選択スイッチ７１として、グランドピアノの音色を指定するグランドピアノスイッチ（Grandpiano）７１ａと、ストリングスの音色を指定するストリングススイッチ（Strings）７１ｂと、アップライトピアノの音色を指定するアップライトピアノスイッチ（Uprightpiano）７１ｃと、エレクトリックピアノの音色を指定するエレクトリックピアノスイッチ（E.Piano）７１ｄとが配設されている。これらの音色選択スイッチ７１ａ〜７１ｄのうちのいずれかがユーザによって選択されると、後述するパネル処理（図７）において、音色パラメータテーブル（図５参照）から選択された音色に対応するパラメータが選択される。
【００３２】
次に、図４のフローチャートを参照して、本発明の電子楽器１において実行されるパネル処理について説明する。このパネル処理は、非図示のメイン処理から所定時間毎に起動する割り込みルーチンであり、操作パネルに配設された音色選択スイッチ７１などの各種操作子（パネル操作子）の操作に応じた処理を行うものである。
【００３３】
このパネル処理が起動されると、まず、パネル操作子のスキャンを実行し（Ｓ１）、パネル操作子の操作があったか否かを確認する（Ｓ２）。Ｓ２の処理により確認した結果、パネル操作子の操作がなければ（Ｓ２：Ｎｏ）、このパネル処理を終了する。
【００３４】
一方、Ｓ２の処理により確認した結果、パネル操作子の操作があれば（Ｓ２：Ｙｅｓ）、音色パラメータテーブル（図５参照）から、音色選択スイッチ７１により選択された音色に対応するデータを読み込む（Ｓ４）。ここで、図５を参照して、音色パラメータテーブルについて説明する。音色パラメータテーブルは、ＲＯＭ２０に記憶されているテーブルであり、音色選択スイッチ７１により選択された音色に対して用いられる定位制御関数（左右定位制御関数及び前後定位制御関数）や各種エフェクト等を記憶するものである。
【００３５】
図５は、音色パラメータテーブルの一部を模式的に示す図であり、音色パラメータテーブルでは、音色選択スイッチ７１により選択される音色（グランドピアノ（Grandpiano），ストリングス（Strings），アップライトピアノ（Uprightpiano），エレクトリックピアノ（E.Piano））毎に、左右定位制御関数及び前後定位制御関数が指定されている。
【００３６】
左右定位制御関数は、鍵盤６０の操作により指定された音高に対して設定される左右のレベルバランスを示す関数であり、ＲＯＭ２０に記憶されている。本実施例の電子楽器１には、図６（ａ）に示すような、音高が高くなるに従って、レベルバランスが左方から右方へ移動する左右定位制御関数（左右定位１）と、図６（ｂ）に示すような、音高が高くなるに従って、レベルバランスが右方から左方へ移動する左右定位制御関数（左右定位２）が記憶されている。なお、図５の音色パラメータテーブルによれば、選択された音色がグランドピアノ、アップライトピアノ、エレクトリックピアノである場合には、左右定位制御関数として、左右定位１が指定されており、一方で、選択された音色がストリングスの場合には、左右定位２が指定されている。
【００３７】
図５に示される音色パラメータテーブルを参照して、後述するＳ５及びＳ６の処理において、音色選択スイッチに応じた音色に対応する定位制御関数（左右定位制御関数及び前後定位制御関数）がＲＯＭ２０から呼び出され、その後、後述する鍵盤処理（図８）のＳ１３及びＳ１４の処理において、呼び出された定位制御関数を参照して、押鍵された鍵（鍵盤６０）の音高に応じた前後左右の発音レベルが設定される。つまり、ＲＯＭ２０に予め記憶される関数の組み合わせにより音高に応じた前後左右の発音レベルが決定されるので、各音色に対して、各音高毎の前後左右のレベルを記憶する場合に比べて、メモリを節約することができる。
【００３８】
また、前後定位制御関数は、鍵盤６０の操作により指定された音高に対して設定される前後のレベルバランスを示す関数であり、ＲＯＭ２０に記憶されている。本実施例の電子楽器１には、図７（ａ）〜（ｄ）に示すような４種の前後定位制御関数が記憶されている。
【００３９】
図７（ａ）は、音高が高くなるに従って、レベルバランスが後方から前方へ移動する前後定位制御関数（奥行き定位１）であり、図７（ｂ）は、音高が高くなるに従って、レベルバランスが、前方から後方側へ移動した後、所定の音高を境界として、再び、前方側へ移動する前後定位制御関数（奥行き定位２）であり、図７（ｃ）は、音高に依存することなく、レベルバランスは前方に定位される前後定位制御関数（奥行き定位３）、図７（ｄ）は、音高の上昇に伴い、レベルバランスが前後交互に移動する前後定位制御関数（奥行き定位４）である。なお、図５の音色パラメータテーブルによれば、グランドピアノに対する前後定位制御関数としては、奥行き定位１が指定され、ストリングスの場合には奥行き定位２が指定され、アップライトピアノに対しては奥行き定位３が指定され、エレクトリックピアノのは奥行き定位４が指定されている。
【００４０】
図７に戻って説明する。Ｓ４の処理により音色パラメータテーブルを読み出した後、その音色パラメータテーブルを参照して、音色選択スイッチ７１により選択された音色に対する左右定位制御関数をＲＯＭ２０から呼び出す（Ｓ５）。
【００４１】
Ｓ５の処理後、前後定位を設定するための前後定位関数をＲＯＭ２０から呼び出し（Ｓ６）、Ｓ７の処理へ移行する。
【００４２】
また、Ｓ３の処理により確認した結果、押下されたパネル操作子が音色選択スイッチでなければ（Ｓ３：Ｎｏ）、Ｓ４〜Ｓ６の処理をスキップし、Ｓ７の処理へ移行する。
【００４３】
Ｓ７の処理では、その他の処理として、音色選択スイッチ７１以外のパネル操作子に応じた処理（例えば、ボリューム調整つまみ（非図示）の操作に伴うボリューム調整など）を実行し、このパネル処理を終了する。
【００４４】
次に、図８のフローチャートを参照して、本発明の電子楽器１において実行される鍵盤処理について説明する。この鍵盤処理は、非図示のメイン処理から所定時間毎に起動する割り込みルーチンであり、鍵盤６０の押鍵又は離鍵に応じた処理を行うものである。
【００４５】
この鍵盤処理が起動されると、先ず、鍵盤６０のスキャンを行い（Ｓ１１）、押鍵があったか否かを確認する（Ｓ１２）。Ｓ１２の処理により確認した結果、押鍵されていれば（Ｓ１２：Ｙｅｓ）、Ｓ５の処理において呼び出した左右定位制御関数を参照して、押鍵が確認された鍵に対応する音高に応じた左右レベル制御信号を発生し、その制御信号に従って楽音信号の左右レベルバランスの制御（左右パンニング処理）を行う（Ｓ１３）。
【００４６】
Ｓ１３の処理後、Ｓ６の処理において呼び出した前後定位制御関数を参照して、押鍵が確認された鍵に対応する音高に応じた前後レベル制御信号を発生し、その制御信号に従って楽音信号の前後レベルバランスの制御（前後パンニング処理）を行う（Ｓ１４）。
【００４７】
Ｓ１４の処理後、発音処理を行う。具体的には、この発音処理（Ｓ１５）では、音色選択スイッチ７１により選択された音色で、押鍵された鍵盤６０の鍵に対応する音高の楽音を、Ｓ５の処理により制御された左右レベルバランス、且つ、Ｓ６の処理により制御された前後レベルバランスで、所定の位置に配置された４つのスピーカ５６（５６ａ〜５６ｄ）から出力させる（Ｓ１５）。このＳ１５の処理により、音高に応じて制御された前後左右のレベルの楽音が、それぞれ、複数（本実施例では４つ）に配置されたスピーカから発音される。よって、音高に応じて音像定位が移動するので、自然な拡がり感及び臨場感を提供することができる。
【００４８】
発音処理（Ｓ１５）の終了後、Ｓ１６の処理へ移行する。
【００４９】
また、Ｓ１２の処理により確認した結果、押鍵されていなければ（Ｓ１２：Ｎｏ）、押鍵に伴うＳ１３〜Ｓ１５の処理をスキップし、Ｓ１６の処理へ移行する。
【００５０】
Ｓ１６の処理では、離鍵があったか否かを確認し、その際、離鍵が確認されれば（Ｓ１６：Ｙｅｓ）、離鍵された鍵に対応する発音中の楽音を消音する消音処理を行い（Ｓ１７）、この鍵盤処理を終了する。
【００５１】
一方、Ｓ１６の処理により確認した結果、離鍵されていなければ（Ｓ１６：Ｎｏ）、Ｓ１７の処理をスキップし、この鍵盤処理を終了する。
【００５２】
以上説明したように、本実施例の電子楽器１によれば、鍵盤６０を操作（押鍵又は離鍵）することにより演奏を行うと、音色パラメータテーブルにおいて音色毎に指定されている左右定位制御関数及び前後定位制御関数に従って、操作された鍵に対応する音高に応じた前後左右の音像定位が自動的に設定される。よって、より自然な拡がり感及び臨場感のある演奏を行うことができる。
【００５３】
なお、請求項１記載の音高情報入力装置としては、鍵盤６０により指定された鍵に対応する音高情報をバスライン９０へ入力するための非図示の入力部が該当する。また、請求項２記載の左右音像定位情報としては、図６に示されるような左右定位制御関数が該当し、請求項２記載の前後音像定位情報としては、図７に示されるような前後定位制御関数が該当する。また、請求項３記載の選択手段としては、パネル処理（図４）におけるＳ４〜Ｓ５の処理が該当する。また、請求項４記載の選択手段としては、パネル処理（図４）におけるＳ４〜Ｓ６の処理が該当する。また、請求項５記載のレベル情報設定手段としては、鍵盤処理（図８）におけるＳ１３〜Ｓ１４の処理が該当する。
【００５４】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００５５】
例えば、本実施例では、鍵盤６０の押鍵により指定された音高に応じて、左右の音像定位と必要に応じて前後の音像定位を設定するように構成したが、更に、上下定位制御関数を用いて、上下の音像定位を設定できるように構成してもよい。これによって、より臨場感のある音場を形成することができる。
【００５６】
また、本実施例では、鍵盤６０の押鍵又は離鍵により音高情報（発音すべき音高の指定）を生成するように構成したが、電子楽器１にＭＩＤＩ−ＩＮ端子を設け、外部機器（自動演奏装置など）からＭＩＤＩデータを入力するように入力するように構成してもよい。
【００５７】
また、本実施例では、音高情報を指定するための鍵盤６０は電子楽器１の本体内蔵されたものとして構成したが、ＭＩＤＩ−ＩＮ端子に接続した外付けの鍵盤であってもよい。
【００５８】
また、本実施例では、音色選択スイッチ７１ａ〜７１ｄで選択される全ての音色に対して前後左右の定位が設定されるように構成したが、一部音色に対しては、左右の定位のみが設定され、前後の定位が設定されないように構成してもよい。その場合、音色パラメータとして対応する前後定位制御関数がないことが記憶される。
【００５９】
また、本実施例では、スピーカ５６は内蔵スピーカであるように構成したが、電子楽器１に出力端子を設けることより、その出力端子に接続される外部スピーカであってもよい。
【００６０】
また、本実施例では、音像定位を設定するためにスピーカを４つ設けるよう構成したが、３つのスピーカにより音像定位を設定するようにしてもよい。
【図面の簡単な説明】
【００６１】
【図１】本発明の電子楽器の構成を示したブロック図である。
【図２】本発明の要部を概念的に示したブロック図である。
【図３】本発明の電子楽器の操作パネルの一部を示した図である。
【図４】ＣＰＵにより実行されるパネル処理のフローチャートである。
【図５】音色パラメータテーブルの一部を模式的に示した図である。
【図６】左右定位制御関数を示した図であり、（ａ）は、音色パラメータテーブルにおいて「左右定位１」と称される関数であり、（ｂ）は、「左右定位２」と称される関数である。
【図７】前後定位制御関数を示した図であり、（ａ）は、音色パラメータテーブルにおいて「奥行き定位１」と称される関数であり、（ｂ）は、「奥行き定位２」と称される関数であり、（ｃ）は、「奥行き定位３」と称される関数であり、（ｄ）は、「奥行き定位４」と称される関数である。
【図８】ＣＰＵにより実行される鍵盤処理のフローチャートである。
【符号の説明】
【００６２】
１                      電子楽器
１０                    ＣＰＵ
１１                    音色パラメータ選択手段（選択手段の一部）
１２                    左右レベル制御信号発生手段
１３                    前後レベル制御信号発生手段
２０                    ＲＯＭ（記憶手段）
３０                    ＲＡＭ
５０                    音源
５１                    楽音信号発生手段
５２                    左右レベル制御手段（定位情報設定手段の一部、レベル制御手段の一部）
５３                    前後レベル制御手段（定位情報設定手段の一部、レベル制御手段の一部）
５４                    発音手段（定位情報設定手段の一部）
５６（５６ａ〜５６ｄ）  スピーカ（楽音出力装置）
６０                    鍵盤
７１                    音色選択スイッチ（音色情報入力手段）
【図１】
2005099559.tif 000003
【図２】
2005099559.tif 000004
【図３】
2005099559.tif 000005
【図４】
2005099559.tif 000006
【図５】
2005099559.tif 000007
【図６】
2005099559.tif 000008
【図７】
2005099559.tif 000009
【図８】
2005099559.tif 000010